(57)【要約】【課題】特定のボタン押下だけで文書の種類ごとに文書を保存することができる画像読取装置を提供する。【解決手段】帳簿ｅ−文書スキャン、見積書ｅ−文書スキャン、注文書ｅ−文書スキャン等の中からいずれかのｅ−文書スキャンを選択してｅ−文書スキャンを実行すると、原稿スキャンデータのハッシュ値が算出されてＴＳＡに送信され、帳簿ｅ−文書スキャンの場合、「choubo」＋「日付」＋「連番」により作成されたファイル名によりスキャンデータとタイムスタンプが帳簿フォルダに保存される（ステップ101〜105）。また、見積書ｅ−文書スキャン、注文書ｅ−文書スキャンの場合には、スキャンデータとタイムスタンプが対応するファイル名が付されて対応するｅ−文書フォルダに保存される（ステップ106〜115）。【選択図】図７
2011176832.tif 000002
【特許請求の範囲】
【請求項１】
文書を読み取って画像信号を生成する画像読取手段と、前記画像読取手段で読み取った画像信号を記憶手段に保存する制御手段とを備えた画像読取装置であって、
保存する文書の種類を選択する文書種類選択手段を備え、前記制御手段が、前記文書種類選択手段で選択された文書種類に基づいて、文書種類に応じた保存先に当該文書を保存するとともに、文書種類に応じた文書名を識別できる文字列と通番を組み合わせて当該文書を保存する際のファイル名を作成することを特徴とする画像読取装置。
【請求項２】
請求項１に記載された画像読取装置において、
文書の種類ごとに保存期間が指定されていることを特徴とする画像読取装置。
【発明の詳細な説明】
【技術分野】
【０００１】
本発明は、スキャナによりスキャンした文書画像を保存する、デジタル複合機等の画像読取装置に関する。
【背景技術】
【０００２】
複写機能、ファクシミリ機能、プリント機能、スキャナ機能等を有するデジタル複合機では、最近、スキャナによりスキャンした文書画像にタイムスタンプを付与してｅ−文書として保存することが行われている。
すなわち、紙文書と比較してデジタルデータは改ざん等が容易であるため、タイムスタンプ技術が用いられており、このタイムスタンプは、電子文書の確定時刻を証明する技術で、その文書がいつから存在しているのか、ということと、その時点から第三者だけでなく作成者本人にも改ざんされていないことを証明するものである。
【０００３】
このようなタイムスタンプ技術を採用する場合、電子文書のハッシュ値を時刻証明機関（Time Stamping Authority、以下ＴＳＡという）に送信し、ＴＳＡが送られたハッシュ値を原子時計を用いた正確な時刻の情報とともに暗号化してタイムスタンプとして返送し、このタイムスタンプを電子文書とともに保管するようにしている（例えば、特許文献１参照）。
【０００４】
このようなｅ−文書を検証する場合、タイムスタンプを復号し、タイムスタンプ時刻情報の確認、及び、別途計算した当該電子文書のハッシュ値とタイムスタンプに含まれているハッシュ値とを比較することにより、改ざんの検知を行うことができる。
なお、ハッシュ値とは、与えられた原文から不可逆な一方向関数（ハッシュ関数）を用いて生成された固定長の値で、メッセージダイジェストなどとも呼ばれる。ハッシュ値から原文を求めることや、同じハッシュ値を持つ異なった文章を作成することは極めて困難であるため、ハッシュ値を比較することで原文が同一であるかどうかの確認が可能となる。
【先行技術文献】
【特許文献】
【０００５】
【特許文献１】特開２００５−２６７０８３号公報
【発明の概要】
【発明が解決しようとする課題】
【０００６】
上記のように、従来のデジタル複合機では、スキャンした文書をタイムスタンプとともにｅ−文書として保存するようにしているが、文書には帳簿、議事録、注文書、見積書等様々な文書があり、一元的にデータ化してしまうと、後で検索するのに非常に不便であるので、後日の検索を容易にするために、ｅ−文書の保存先を指定したり、文書名を入力しなければならず、手間がかかる作業となっていた。
また、文書の種類ごとに保存期間が異なるので、ｅ−文書スキャンを行うたびに、保存期間を入力しなければならず、さらに煩雑な作業となっていた。
【０００７】
本発明は、上記の問題に鑑みてなされたもので、特定のボタン押下だけで文書の種類ごとに文書を保存することができる画像読取装置を提供することを目的とする。
【課題を解決するための手段】
【０００８】
上述の目的を達成するため、請求項１に係る発明の画像読取装置は、文書を読み取って画像信号を生成する画像読取手段と、前記画像読取手段で読み取った画像信号を記憶手段に保存する制御手段とを備えた画像読取装置であって、保存する文書の種類を選択する文書種類選択手段を備え、前記制御手段が、前記文書種類選択手段で選択された文書種類に基づいて、文書種類に応じた保存先に当該文書を保存するとともに、文書種類に応じた文書名を識別できる文字列と通番を組み合わせて当該文書を保存する際のファイル名を作成することを特徴とする。
【０００９】
また、請求項２に係る発明の画像読取装置は、請求項１に記載された画像読取装置において、文書の種類ごとに保存期間が指定されていることを特徴とする。
【発明の効果】
【００１０】
請求項１に係る発明の画像読取装置によれば、文書種類選択手段、例えば、特定のボタンを押下するだけで、所望の文書の保存先に自動的に文書が保存されるので、文書の保存先を指定する必要がなく効率的に文書を保存することができるとともに、文書の種類ごとに、文書名を識別できる文字列と通番を組み合わせてファイル名が作成されるので、ファイル名を手入力する必要をなくすことができる。
また、請求項２に係る発明の画像読取装置によれば、文書の種類ごとに保存期間が指定されているので、保存期間を手入力する必要をなくすことができる。
【図面の簡単な説明】
【００１１】
【図１】デジタル複合機を備えたシステムのネットワーク構成例を示す図である。
【図２】デジタル複合機のハードウェア構成を示すブロック図である。
【図３】表示・操作部の詳細な構成を示す図である。
【図４】ｅ−文書を保存する記憶部のファイル構造を示す図である。
【図５】管理ファイルに保存されるデータの一例である。
【図６】ｅ−文書スキャン実行画面の一例である。
【図７】ｅ−文書スキャン実行時の作用を示すフローチャートである。
【実施例】
【００１２】
以下、本発明の画像読取装置をデジタル複合機に適用した実施例について説明する。図１はデジタル複合機を備えたシステムのネットワーク構成例を示す図であり、図２はデジタル複合機のハードウェア構成を示すブロック図である。
【００１３】
図１に示すネットワーク構成図において、１はデジタル複合機、２、３、４・・・はパソコン、５は公衆交換電話網（ＰＳＴＮ）、６はＬＡＮ（Local Area Network）、７はインターネット網、８はＴＳＡである。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。このＬＡＮ６はインターネット網７にも接続されており、デジタル複合機１はこのインターネット網７を介してメールの送受信を行うことが可能である。
また、ＴＳＡ８は、インターネット網７を介してデジタル複合機１からスキャンデータのハッシュ値を受信すると、受信したハッシュ値を原子時計を用いた正確な時刻の情報とともに暗号化し、タイムスタンプとして返送する時刻証明機構である。
【００１４】
デジタル複合機１は、図２に示すように、ＣＰＵ１１、ＲＯＭ（Read
Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ＬＡＮインターフェース（Ｉ／Ｆ）２１及びｅ−文書保存部２２から構成され、各部がバス２３を介して接続されている。
【００１５】
ＣＰＵ１１はバス２３を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１６】
表示・操作部１４は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。また、操作キーとして、テンキー３２、スタートキー３３、リセットキー３４、ストップキー３５、複数のワンタッチダイヤルキー３６、十字キー３７、リターンキー３８、セットキー３９、ＦＡＸ切替キー４０、コピー切替キー４１、スキャナ切替キー４２等の各種キーが設けられている。なお、ＬＣＤ表示部３１によりこれらの操作キーの一部又は全部を代用することも可能である。
【００１７】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
また、画像メモリ１６は、ＤＲＡＭ等を用いて構成され、送信すべき画像データまたは受信した画像データあるいは読取部１５で読み取った画像データを記憶し、記録部１７は電子写真方式等のプリンタ装置を備え、受信したデータ、コピー原稿データあるいは外部のパソコン２、３、４等から送信されたプリントデータをプリントアウトする。
【００１８】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１９】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
ＬＡＮインターフェース２１はＬＡＮ６に接続され、インターネット網７からの信号を受信する一方、ＬＡＮ６に対して信号やデータを送信するものであり、信号変換やプロトコル変換などのインターフェース処理を実行する。
【００２０】
ｅ−文書保存部２２は、ｅ−文書を文書の種類ごとに保存する記憶部であり、図４に示すように、ｅ−文書の管理ファイルと、帳簿、見積書、議事録、注文書等の文書毎のフォルダとを備え、各文書フォルダには、文書名を識別できる文字列と日付、通番を組み合わせたファイル名が付与されたスキャン文書とタイムスタンプが保存される。また、管理ファイルには、図５に示すように、各ｅ−文書のファイル名と、タイムスタンプの有効期限、当該データの保存期限が記憶されるようになっている。
【００２１】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。  
【００２２】
一方、このデジタル複合機は、上記のように文書をスキャンしてｅ−文書として保存することができるようになっており、以下、ｅ−文書スキャン時の作用について説明する。
ユーザが表示・操作部１４のＬＣＤ表示部３１でｅ−文書スキャンを指示すると、表示・操作部１４のＬＣＤ表示部３１に図６に示すｅ−文書スキャン実行画面が表示される。
この画面には、帳簿ｅ−文書スキャン、見積書ｅ−文書スキャン、注文書ｅ−文書スキャン等のｅ−文書スキャンを行う文書の種類の選択画面が表示されており、いずれかのｅ−文書スキャンを押下して選択した後、「実行」ボタンを押下することにより、デジタル複合機１がｅ−文書スキャンを実行する。
【００２３】
図７はｅ−文書スキャン実行時のＣＰＵ１１の作用を示すフローチャートであり、いずれかの文書種類のｅ−文書スキャンを押下して選択した後、「実行」ボタンを押下すると、ＣＰＵ１１は図７のフローチャートに示すｅ−文書スキャンプログラムを開始し、ユーザが帳簿ｅ−文書スキャンを指示したか否かを判定し（ステップ１０１）、ユーザが帳簿ｅ−文書スキャンを指示したと判定した場合、原稿の画像データを読取部１５で読み取り、コーデック１８で圧縮して画像メモリ１６に蓄積する（ステップ１０２）。
【００２４】
次に、ＣＰＵ１１は、画像メモリ１６に蓄積したデータのハッシュ値を算出した後、このハッシュ値データをＬＡＮインターフェース２１、ＬＡＮ６、インターネット網７を介してＴＳＡ８に送信する（ステップ１０３）。そして、ハッシュ値データをＴＳＡ８に送信した後、ＣＰＵ１１は、ＴＳＡ８からタイムスタンプを受信したか否かを判定し（ステップ１０４）、ＴＳＡ８からタイムスタンプを受信すると、帳簿用ファイル名を「choubo」＋「日付」＋「連番」により作成し、作成したファイル名によりスキャンデータとタイムスタンプを帳簿フォルダに保存するとともに、管理ファイルにファイル名、タイムスタンプの有効期限、ｅ−文書の保存期限を記憶する（ステップ１０５）。
なお、文書の保存期間は、文書の種類ごとに、例えば、帳簿１０年間、注文書５年間等と指定できるので、保存期限はｅ−文書の作成日とその種類の文書の保存期間とにより自動的に決定することができる。
【００２５】
一方、ステップ１０１でユーザが帳簿ｅ−文書スキャンを指示していないと判定した場合、ＣＰＵ１１は、ユーザが見積書ｅ−文書スキャンを指示したか否かを判定し（ステップ１０６）、ユーザが見積書ｅ−文書スキャンを指示したと判定した場合、ＣＰＵ１１は、上記と同様に、原稿の画像データをスキャンして保存した（ステップ１０７）後、スキャンデータのハッシュ値を算出してＴＳＡ８に送信する（ステップ１０８）。次に、ＴＳＡ８からタイムスタンプを受信したか否かを判定し（ステップ１０９）、ＴＳＡ８からタイムスタンプを受信すると、ファイル名を「mitumori」＋「日付」＋「連番」により作成し、作成したファイル名によりスキャンデータとタイムスタンプを見積書用フォルダに保存するとともに、管理ファイルにファイル名、タイムスタンプの有効期限、ｅ−文書の保存期限を記憶する（ステップ１１０）。
【００２６】
また、ステップ１０６でユーザが見積書ｅ−文書スキャンを指示していないと判定した場合、ＣＰＵ１１は、ユーザが注文書ｅ−文書スキャンを指示したか否かを判定し（ステップ１１１）、ユーザが注文書ｅ−文書スキャンを指示したと判定した場合、ＣＰＵ１１は、上記と同様に、原稿の画像データをスキャンして保存した（ステップ１１２）後、スキャンデータのハッシュ値を算出してＴＳＡ８に送信する（ステップ１１３）。次に、ＴＳＡ８からタイムスタンプを受信したか否かを判定し（ステップ１１４）、ＴＳＡ８からタイムスタンプを受信すると、ファイル名を「chuumon」＋「日付」＋「連番」により作成し、作成したファイル名によりスキャンデータとタイムスタンプを注文書用フォルダに保存するとともに、管理ファイルにファイル名、タイムスタンプの有効期限、ｅ−文書の保存期限を記憶する（ステップ１１５）。
【００２７】
さらに、ステップ１１１でユーザが注文書ｅ−文書スキャンを指示していないと判定した場合、ＣＰＵ１１は、その他の文書のｅ−文書スキャンを実行する（ステップ１１６）。
以上のように、所望の文書の保存先に自動的にｅ−文書が保存されるので、文書の保存先を入力する必要がなく効率的にｅ−文書を保存することができ、また、文書の種類ごとに、文書名を識別できる文字列と通番を組み合わせてファイル名が作成されるので、ファイル名を手入力する必要がなく、さらに、文書の種類ごとに保存期間が指定されており、自動的に保存期限が設定されるので、保存期限を手入力する必要がない。
【００２８】
なお、上記の実施例では、表示・操作部の表示画面で、帳簿ｅ−文書スキャン、見積書ｅ−文書スキャン等を選択するようにしたが、それぞれのｅ−文書スキャンを実行するボタンを設け、このボタンによって各文書のｅ−文書スキャン実行を指示するようにすることも可能である。
また、上記の実施例では、ファイル名を文書名を識別できる文字列と日付及び連番により作成したが、文書名を識別できる文字列と連番により作成してもよい。
【符号の説明】
【００２９】
１  デジタル複合機
２、３、４  パソコン
５  ＰＳＴＮ
６  ＬＡＮ
７  インターネット網
８  ＴＳＡ
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  ｅ−文書保存部
３１  ＬＣＤ表示部
【図１】
2011176832.tif 000003
【図２】
2011176832.tif 000004
【図３】
2011176832.tif 000005
【図４】
2011176832.tif 000006
【図５】
2011176832.tif 000007
【図６】
2011176832.tif 000008
【図７】
2011176832.tif 000009